(57)【要約】【課題】  カードを所定位置まで挿入しなければ押圧ボタンを筐体から突出することができない動作を確実に可能にできるいわゆるプッシュープッシュ作用を可能にしたイジェクト機能を有するコンパクトなカードコネクタを提供する。【解決手段】  カードコネクタ１は、カードＣが所定位置に挿入されたときに、カムピン２６ｂがカム溝２７に沿って移動することを可能にする押圧バーの移動規制手段４０を備えている。この移動規制手段４０は、ガイドアーム１２に取り付けられたブラケット４１と、ブラケット４１に対して揺動可能に取り付けられ、カードＣの非挿入時に押圧バー２２の移動を規制するとともに、カードＣが所定位置に挿入されたときに揺動して押圧バー２２の移動規制を解除する移動規制部材５０とを備えている。【選択図】      図６
2006210017.tif 000002
【特許請求の範囲】
【請求項１】
カードを挿抜可能に案内するガイドアームを有するコネクタ部と、該コネクタ部に挿入された前記カードをプッシュープッシュ作用により排出するカード排出手段とを備えたカードコネクタであって、
前記カード排出手段が、前記コネクタ部に回動可能に配置され、回動により前記カードを抜出方向に排出する回動アームと、押圧ボタンを有し前記ガイドアームの側面に沿って前記カードの挿抜方向に移動可能な押圧バーと、該押圧バーに回動可能に軸支され、前記カードの排出時に前記回動アームを押圧して回動させる押圧プレートとを具備し、
前記ガイドアームの側面に形成されたハート形のカム溝と、前記押圧プレートに設けられ、前記カム溝と係合するカムピンとからなるカム機構と、前記カードが所定位置に挿入されたときに、前記カムピンが前記カム溝に沿って移動することを可能にする押圧バーの移動規制手段を設け、
該移動規制手段が、前記ガイドアームに取り付けられたブラケットと、該ブラケットに対して揺動可能に取り付けられ、前記カードの非挿入時に前記押圧バーの移動を規制するとともに、前記カードが所定位置に挿入されたときに揺動して前記押圧バーの移動規制を解除する移動規制部材とを備えていることを特徴とするカードコネクタ。
【請求項２】
カードを挿抜可能に案内するガイドアームを有するコネクタ部と、該コネクタ部に挿入された前記カードをプッシュープッシュ作用により排出するカード排出手段とを備えたカードコネクタであって、
前記カード排出手段が、前記コネクタ部に回動可能に配置され、回動により前記カードを抜出方向に排出する回動アームと、押圧ボタンを有し前記ガイドアームの側面に沿って前記カードの挿抜方向に移動可能な押圧バーとを具備し、
前記カードが所定位置に挿入されたときに、前記押圧バーの移動を可能にする押圧バーの移動規制手段を設け、
該移動規制手段が、前記ガイドアームに取り付けられたブラケットと、該ブラケットに対して揺動可能に取り付けられ、前記カードの非挿入時に前記押圧バーの移動を規制するとともに、前記カードが所定位置に挿入されたときに揺動して前記押圧バーの移動規制を解除する移動規制部材とを備えていることを特徴とするカードコネクタ。
【発明の詳細な説明】
【技術分野】
【０００１】
本発明は、いわゆるプッシュープッシュ作用を可能にしたイジェクト機能を有するカードコネクタに関する。
【背景技術】
【０００２】
従来のこの種のカードコネクタとして、例えば、図１５に示すものが知られている（特許文献１参照）。
このカードコネクタ１０１は、カード（図示せず）を案内する１対のフレーム部１１１を有する絶縁性のハウジング１１０と、ハウジング１１０に保持された複数のコンタクト１２０と、一方のフレーム部１１１の側方に設けられ、カードを排出するためのプッシュープッシュ式イジェクト機構１３０とを備えている。
【０００３】
イジェクト機構１３０は、一方のフレーム部１１１に対してスライド可能に装着され、カードを排出するイジェクトレバー１３１と、このイジェクトレバー１３１をカードの排出方向へ常時付勢するばね部材１３２と、カムフォロア１３３とを備えている。イジェクトレバー１３１は、カード挿入時にカードの先端に押され、かつ、カード排出時にカードの先端を押すカード当接部１３１ａを有するとともに、イジェクトレバー１３１の側面には、ハート形のカム溝１３４が形成されている。そして、カムフォロア１３３は、ハウジング１１０の一方のフレーム部１１１に対して所定角度回動可能に軸支されるとともに、その先端にカム溝１３４に係合するガイドピン１３３ａが設けられている。イジェクトレバー１３１に形成されたハート形のカム溝１３４とハウジング１１０に所定角度回動可能に軸支されたカムフォロア１３３のガイドピン１３３ａとが係合することによって、イジェクトレバー１３１のスライドが規制されるようになっている。
【０００４】
このカードコネクタ１０１において、カードが挿入されていない場合には、カムフォロア１３３のガイドピン１３３ａはカム溝１３４のうちの後端凹部（図１５における右端部分）１３４ａに位置し、イジェクトレバー１３１は最も前方側に突出した位置に位置している。
そして、カードをハウジング１１０の前側から挿入し、そのカードの先端がイジェクトレバー１３１の当接部１３１ａに当接すると、カードとイジェクトレバー１３１とが一体となってカードコネクタ１０１内へばね部材１３２の復元力に抵抗しながら後退する。このとき、ガイドピン１３３ａはカム溝１３４の後端部分１３４ａから一方の溝部分１３４ｂに位置する。
【０００５】
続いて、カードを最大ストロークまで押圧した後にその押圧を中止すると、カード及びイジェクトレバー１３１はばね部材１３２の復元力によってわずかに前進し、ガイドピン１３３ａはカム溝１３４の前端凹部１３４ｃに位置する。これにより、カードの挿入操作は完了する。
そして、再度、カードを最大ストロークまで押圧した後にその押圧を中止すると、ガイドピン１３３ａは前端凹部１３４ｃを脱出して他方の溝部分１３４ｄを経て後端凹部１３４ａに至る。カード及びイジェクトレバー１３１はばね部材１３２の復元力によって前進し、カードが排出される。このとき、イジェクトレバー１３１は最初の状態、つまり最も前進した位置に位置することになるのである。
【０００６】
また、いわゆるプッシュープッシュ作用を可能にしたイジェクト機構を有するカードコネクタの他の例として、例えば、図１６及び図１７に示すもの（特許文献２参照）も知られている。
このカードコネクタ２０１は、カードＣを挿抜可能に案内するフレーム２１０と、フレーム２１０の側方に設けられたプッシュープッシュ式イジェクト機構２２０と、イジェクト機構２２０のプッシュロッドからの押圧力を受けて回動し、挿入されたカードＣを排出するイジェクトレバー２３０とを備えている。
【０００７】
ここで、プッシュロッドは、操作者からの押圧力を受ける第１ロッド２２１と、この押圧力をイジェクトレバー２３０に伝達する第２ロッド２２２とを有している。第２ロッド２２２と対向する第１ロッド２２１の先端には、ガイド板２４０に形成されたガイド溝２４１に係合するカム部材２５０が設けられ、カードＣの排出時に第１ロッド２２１と第２ロッド２２２とがカム部材２５０を介して連係するようになっている。カム部材２５０は、引張ばね２５３によりカード排出方向に付勢されている。なお、図１７（Ｂ）において、符号２５１は、引張ばね２５３を係止する係止部、２５２はガイド溝２４１に係合する係合部である。
【特許文献１】特開２００１−２６７０１３号公報
【特許文献２】特開２００２−３２４６２３号公報
【発明の開示】
【発明が解決しようとする課題】
【０００８】
しかしながら、これら従来のカードコネクタ１０１、２０１にあっては、以下の問題点があった。
即ち、図１５に示したカードコネクタ１０１の場合、カードを挿入しない状態、すなわちカードがイジェクトレバー１３１に当接する前の状態ではイジェクトレバー１３１が最も前進した位置に位置している。このため、イジェトレバー１３１が、カードコネクタ１０１を設置したパーソナルコンピューター等の筐体から突出している可能性もあり、落下等によりイジェクトレバー１３１が損傷するおそれがある。また、イジェクトレバー１３１が筐体から突出していると、ユーザーが誤操作をしてしまうことがある。一方、カードが挿入されていない、すなわちカードがイジェクトレバー１３１に当接する前の状態で、イジェクトレバー１３１を押圧し、ガイドピン１３３ａをカム溝１３４の前端凹部１３４ｃに位置させてイジェクトレバー１３１を後退位置に位置させておくことも可能である。しかし、この状態で更にイジェクトレバー１３１を押圧することが可能であり、これによりガイドピン１３３ａが前端凹部１３４ｃを脱出して他方の溝部分１３４ｄを経て後端凹部１３４ａに至り、イジェクトレバー１３１が最も前進した位置に位置してしまうおそれがある。
【０００９】
また、図１６及び図１７に示したカードコネクタ２０１の場合、カードＣが挿されていない状態では、第１ロッド２２１に取り付けられた押圧ボタン２２３は筐体から突出せず、また、押圧ボタン２２３を押してもこの押圧ボタン２２３は筐体から突出しない。しかし、カードＣの排出時に第１ロッド２２１と第２ロッド２２２とを連係させるカム部材２５０が、金属板を打抜いた後、折り曲げ加工することにより製造されるようになっているので、寸法精度が出しづらく、また、少しの寸法のずれやまた組み付け時における組み付け誤差により、カム部材として正常に機能せず、カードＣが挿されていない状態で、第１ロッド２２１に取り付けられた押圧ボタン２２３は筐体から突出してしまうことがあった。なお、図１７は、図１６に示したカードコネクタのイジェクト機構の主要部を表している。
【００１０】
従って、本発明は上述の問題点に鑑みてなされたものであり、その目的は、カードを所定位置まで挿入しなければ押圧ボタンを筐体から突出することができない動作を確実に可能にできるいわゆるプッシュープッシュ作用を可能にしたイジェクト機能を有するコンパクトなカードコネクタを提供することにある。
【課題を解決するための手段】
【００１１】
上記問題を解決するため、本発明のうち請求項１に係るカードコネクタは、カードを挿抜可能に案内するガイドアームを有するコネクタ部と、該コネクタ部に挿入された前記カードをプッシュープッシュ作用により排出するカード排出手段とを備えたカードコネクタであって、前記カード排出手段が、前記コネクタ部に回動可能に配置され、回動により前記カードを抜出方向に排出する回動アームと、押圧ボタンを有し前記ガイドアームの側面に沿って前記カードの挿抜方向に移動可能な押圧バーと、該押圧バーに回動可能に軸支され、前記カードの排出時に前記回動アームを押圧して回動させる押圧プレートとを具備し、前記ガイドアームの側面に形成されたハート形のカム溝と、前記押圧プレートに設けられ、前記カム溝と係合するカムピンとからなるカム機構と、前記カードが所定位置に挿入されたときに、前記カムピンが前記カム溝に沿って移動することを可能にする押圧バーの移動規制手段とを設け、該移動規制手段が、前記ガイドアームに取り付けられたブラケットと、該ブラケットに対して揺動可能に取り付けられ、前記カードの非挿入時に前記押圧バーの移動を規制するとともに、前記カードが所定位置に挿入されたときに揺動して前記押圧バーの移動規制を解除する移動規制部材とを備えていることを特徴としている。
【００１２】
また、本発明のうち請求項２に係るカードコネクタは、カードを挿抜可能に案内するガイドアームを有するコネクタ部と、該コネクタ部に挿入された前記カードをプッシュープッシュ作用により排出するカード排出手段とを備えたカードコネクタであって、前記カード排出手段が、前記コネクタ部に回動可能に配置され、回動により前記カードを抜出方向に排出する回動アームと、押圧ボタンを有し前記ガイドアームの側面に沿って前記カードの挿抜方向に移動可能な押圧バーとを具備し、前記カードが所定位置に挿入されたときに、前記押圧バーの移動を可能にする押圧バーの移動規制手段を設け、該移動規制手段が、前記ガイドアームに取り付けられたブラケットと、該ブラケットに対して揺動可能に取り付けられ、前記カードの非挿入時に前記押圧バーの移動を規制するとともに、前記カードが所定位置に挿入されたときに揺動して前記押圧バーの移動規制を解除する移動規制部材とを備えていることを特徴としている。
【発明の効果】
【００１３】
本発明に係るカードコネクタによれば、カード排出手段が、コネクタ部に回動可能に配置され、回動によりカードを抜出方向に排出する回動アームと、押圧ボタンを有しガイドアームの側面に沿ってカードの挿抜方向に移動可能な押圧バーと、押圧バーに回動可能に軸支され、カードの排出時に回動アームを押圧して回動させる押圧プレートとを具備しているので、押圧ボタンを有する押圧バーの押圧操作により、押圧プレートが押圧されて回動アームを回動させ、カードを排出することができる。そして、前記ガイドアームの側面に形成されたハート形のカム溝と、前記押圧プレートに設けられ、前記カム溝と係合するカムピンとからなるカム機構を設けたので、このカム機構により、いわゆるプッシュープッシュ作用を可能にしたイジェクト機能を有するコンパクトなカードコネクタを提供できる。そして、前記カードが所定位置に挿入されたときに、前記カムピンが前記カム溝に沿って移動することを可能にする押圧バーの移動規制手段を設け、該移動規制手段が、前記ガイドアームに取り付けられたブラケットと、該ブラケットに対して揺動可能に取り付けられ、前記カードの非挿入時に前記押圧バーの移動を規制するとともに、前記カードが所定位置に挿入されたときに揺動して前記押圧バーの移動規制を解除する移動規制部材とを備えているので、カードを所定位置まで挿入しなければ押圧ボタンを筐体から突出することができない動作を確実に可能とすることができる。
【００１４】
また、本発明のうち請求項２に係るカードコネクタによれば、カードが所定位置に挿入されたときに、押圧バーの移動を可能にする押圧バーの移動規制手段を設け、該移動規制手段が、ガイドアームに取り付けられたブラケットと、該ブラケットに対して揺動可能に取り付けられ、カードの非挿入時に前記押圧バーの移動を規制するとともに、前記カードが所定位置に挿入されたときに揺動して前記押圧バーの移動規制を解除する移動規制部材とを備えているので、カードを所定位置まで挿入しなければ押圧ボタンを筐体から突出することができない動作を確実に可能とすることができる。
【発明を実施するための最良の形態】
【００１５】
次に本発明の実施形態を図面を参照して説明する。図１は本発明に係るカードコネクタを正面右斜め上方より見た斜視図である。図１において、挿入前のカードをともに示してある。図２は図１のカードコネクタを正面左斜め上方より見た斜視図である。図２において、挿入前のカードをともに示してある。図３は図１のカードコネクタを示し、（Ａ）は平面図、（Ｂ）は正面図、（Ｃ）は背面図、（Ｄ）は底面図である。図４は図１のカードコネクタを示し、（Ａ）は右側面図、（Ｂ）は左側面図である。図５は図１に示すカードコネクタからガイドアームを取り除いた状態の斜視図である。
【００１６】
図１乃至図４において、カードコネクタ１は、コネクタ部１０と、カード排出手段２０とを具備している。コネクタ部１０には、カードＣが図１に示す矢印Ｘ方向に挿入され、コネクタ部１０に挿入されたカードＣが図１に示す矢印Ｙ方向の抜出されるようになっている。以後、矢印Ｘ方向をカード挿入方向、矢印Ｙ方向をカード抜出方向と呼ぶ。そして、カード挿入方向の奥側を後側、手前側を前側とする。
【００１７】
コネクタ部１０は、長手方向（カード挿入方向に直交する方向）に延びる略直方体形状体のハウジング１１と、ハウジング１１の長手方向に沿って保持された複数のコンタクト（図示せず）とを備えている。ハウジング１１は、絶縁性の樹脂を成形することによって形成され、ハウジング１１の長手方向左端には、カード抜出方向に向けて突出するガイドアーム１２が取り付けられている。また、ガイドアーム１２及びハウジング１１の下側には、底板部３１と、この底板部３１の左右両縁（図３（Ａ）における左右両縁）に設けられた側板部３２，３３とを有する金属フレーム３０が取り付けられる。金属フレーム３０は、左右の側板部３２，３３の後端にてハウジング１１に取り付けられるとともに、左側の側板部３２に設けられた複数の係止片３２ａによりガイドアーム１２に取り付けられる。そして、ガイドアーム１２の内側面と金属フレーム３０の右側の側板部３３の内側面とにより、カードＣを挿抜可能に案内するようになっている。また、ハウジング１１の長手方向左右両端部には、回路基板（図示せず）上に実装するための基板実装部１３が設けられ、各基板実装部１３には、取付ねじ用貫通孔１４が形成されている。また、各コンタクトは、金属板を打抜き及び曲げ加工することによって形成され、回路基板に半田接続されるとともに、コネクタ部１０に挿入されたカードＣに嵌合接触するようになっている。
【００１８】
カード排出手段２０は、コネクタ部１０のハウジング１１に回動可能に配置された回動アーム２１と、ガイドアーム１２の外側面に沿ってカード挿入方向及びカード抜出方向に移動可能な押圧バー２２と、押圧バー２２に回動可能に軸支され、カードＣの排出時に回動アーム２１を押圧して回動させる押圧プレート２６とを具備している。
回動アーム２１は、ハウジング１１内に回動可能に配置され、ハウジング１１内部の一端に、挿入されたカードＣに係合するカード係合部２１ｂを備え、ハウジング１１外部の他端に、押圧プレート２６の後述する係合部２６ａに係合するプレート係合部２１ａを備えている。回動アーム２１は、回動により、挿入されたカードＣをカード抜出方向に排出するようになっている。
【００１９】
押圧バー２２は、前後方向に延びる板状部材で構成され、金属板を打抜き及び曲げ加工することによって形成される。押圧バー２２は、ガイドアーム１２の外側面に沿って配置され、ガイドアーム１２の後方部から外側に突出する上下１対の係止爪１２ａによってカード挿入方向及び抜出方向に移動可能に支持されている。押圧バー２２の前端部には、押圧ロッド２３が固定され、この押圧ロッド２３の前端部には押圧ボタン２４が設けられている。押圧ロッド２３には第１ばね係止部２３ａが設けられ、その一方、ガイドアーム１２には第２ばね係止部１２ｂが設けられ、第１ばね係止部２３ａ及び第２ばね係止部１２ｂに引張ばね２５が取り付けられて押圧バー２２をカード抜出方向へ常時付勢するようになっている。
【００２０】
押圧プレート２６は、前後方向に延びる板状部材で構成され、金属板を打抜き及び曲げ加工することによって形成される。押圧プレート２６は、押圧バー２２の内側に沿って押圧バー２２に対して回動可能に配置されている。押圧プレート２６の後端部には、カードＣの排出時に回動アーム２１のプレート係合部２１ａに係合する係合部２６ａが形成されている。また、押圧プレート２６の前端部には、図５に示すように、カムピン２６ｂが内側に突出するように取付けられている。
【００２１】
図６はカード排出手段２０を構成する押圧バー２２、押圧ロッド２３、押圧ボタン２４及び押圧バーの移動規制手段４０を前方斜め上方から見た斜視図、図７はカード排出手段２０を構成する押圧ロッド２３、押圧ボタン２４及び押圧バーの移動規制手段４０を後方斜め上方から見た斜視図、図８は押圧バーの移動規制手段４０を前方斜め上方から見た斜視図、図９は押圧バーの移動規制手段４０の分解斜視図、図１０は押圧バーの移動規制手段４０を後方斜め上方から見た斜視図、図１１はカム機構の動作の説明図、図１２はカム機構の動作の説明図である。
【００２２】
ガイドアーム１２の外側面には、図１１及び図１２に示すように、カムピン２６ｂが係合するハート形のカム溝２７が形成されている。カム溝２７は、図１１（Ｃ）に示すように、ガイドアーム１２の前後方向略中央部に形成された後側凹部２７ａと、その後側凹部２７ａから後方斜め上方に傾斜する第１直線状部２７ｂと、第１直線状部２７ｂの先端から一旦後方に延びてから前方に向けて延びる第２直線状部２７ｃとを備えている。そして、第２直線状部２７ｃの前端から前方斜め下方の位置に前側凹部２７ｄが形成されている。そして、前側凹部２７ｄから後方斜め下方に延びてから後方に向けて延びる略直線状部２７ｅが形成され、略直線状部２７ｅの後端から後側凹部２７ａに向けて第３直線状部２７ｆが延びている。従って、カム溝２７は、ハート形のループ状に形成されている。このガイドアーム１２の外側面に形成されたハート形のカム溝２７と、カム溝２７と係合するカムピン２６ｂとでカム機構を構成し、このカム機構により、押圧バー２２及び押圧プレート２６のカード抜出方向への引出動作と押圧バー２２及び押圧プレート２６のカード挿入方向への押圧動作とを不可逆にしている。即ち、カムピン２６ｃはカム溝２７に沿って一方向に移動してカム溝２７を一回りし、逆方向には移動しない。
【００２３】
また、ガイドアーム１２の外側面には、押圧バー２２の移動規制手段４０が取り付けられている。移動規制手段４０は、ガイドアーム１２の外側面の前後方向略中央部に取り付けられたブラケット４１と、ブラケット４１に対して外方向へ揺動可能に取り付けられ、カードＣの非挿入時に押圧バー２２のカード挿入方向への移動を規制するとともに、カードＣが所定位置に挿入されたときに外方向へ揺動して押圧バー２２の移動規制を解除する移動規制部材５０とを備え、結果的に、カードＣが所定位置に挿入されたときに、カムピン２６ｂがカム溝２７に沿って移動することを可能にしている。カードＣの非挿入時における押圧バー２２のカード排出方向への移動規制は、カムピン２６ｂがカム溝２７の後側凹部２７ａに入り込んでいることにより達成される。
【００２４】
ここで、ブラケット４１は、図６乃至図１０に示すように、押圧ロッド２３のカード挿入方向及び排出方向の移動を可能にする凹板部４２と、凹板部４２の外側の側壁部上端から外側に延びる平板部４３とを備え、金属板を打ち抜き及び曲げ加工することによって形成されている。平板部４３には、カードコネクタ１を回路基板上に取り付けるための取付孔４４が形成されている。また、凹板部４２の外側の側壁部には開口４５が形成され、平板部４３の開口４５側の縁には第１突起４７ａが上方に向けて突出形成されている。また、凹板部４２の底部から開口４５を経て外側に突出する延長板部４６が設けられ、この延長板部４６には第２突起４７ｂが上方に向けて突出形成されている。一方、凹板部４２の内側の側壁部には、内側に延びる複数の係止突起４８が設けられている。係止突起４８は、図５に示すように、金属フレーム３０の左側側板部３２に形成された孔３２ｂを貫通し、ガイドアーム１２の外側面の前後方向略中央部に係止されるようになっている。
【００２５】
また、移動規制部材５０は、図８乃至図１０に示すように、ブラケット４１の凹板部４２の底部上に位置する平板部５１を備え、金属板を打ち抜き及び曲げ加工することによって形成されている。平板部５１の外側縁からは側壁５２が立ち上がり、側壁５２の上端から外側に向けて延長板部５３が延びている。そして、平板部５１にはブラケット４１の第２突起４７ｂが入り込む第２開口５４ｂが形成され、また、延長板部５３にはブラケット４１の第１突起４７ａが入り込む第１開口５４ａが形成されている。そして、延長板部５３の内縁には、図７によく示すように、押圧ロッド２３の外側面に摺接する半円形状の突起５４ｃが設けられている。また、側壁５２の後端部には、図６に示すように、カードＣの非挿入時に押圧ロッド２３のカード挿入方向への移動を規制する移動規制部５７が内側に向けて折り曲げ形成されている。一方、平板部５１の内側縁には、内方に向けて延びる内方延長板部５５が設けられ、内方延長板部５５の最内端には揺動板部５６が設けられている。揺動板部５６は、内方延長板部５５の最内端から上方に向けて立ち上がり前後方向に延びる起立板部５６ａと、起立板部５６ａから前方斜め外側に延びる傾斜舌片５６ｂとを備えている。カードＣが所定位置まで挿入されると、傾斜舌片５６ｂにカードＣの角部が摺接して、これにより、移動規制部材５０は第１突起４７ａ及び第２突起４７ｂを略中心として外方向（図６における矢印Ｚ方向）に揺動し、押圧ロッド２３のカード挿入方向への移動規制が解除されるようになっている。そして、カードＣの側面が起立板部５６ａに摺接する位置にきたときに、移動規制部材５０の揺動が終了するようになっている。そしてカードＣが排出されると、移動規制部材５０は第１突起４７ａ及び第２突起４７ｂを略中心として内方向に揺動し、元の位置に戻るのである。
【００２６】
次に、本発明の作用を図１１乃至図１４を参照して説明する。図１３はカードＣを挿入していない時のカードコネクタ１の平面図、図１４はカードＣを所定位置まで挿入した時のカードコネクタ１の平面図である。
カードＣの挿入前は、図１１（Ａ）及び図１３に示すように、回動アーム２１の係合部２１ａが後方に位置している。また、押圧バー２２、押圧ロッド２３、押圧ボタン２４及び押圧プレート２６は後方に位置し、押圧プレート２６に設けられたカムピン２６ｂは図１１（Ａ）に示すようにガイドアーム１２に形成されたカム溝２７の後方凹部２７ａに位置している。押圧バー２４は筐体から突出していない。このとき、図１３に示すように、押圧ロッド２３の後端部が移動規制部材５０の移動規制部５７に当接し、押圧ロッド２３、押圧バー２２及び押圧プレート２６の後方（カード挿入方向）への移動は規制されている。また、カムピン２６ｂが後方凹部２７ａに位置することで、押圧プレート２６、押圧バー２２及び押圧ロッド２３の前方への移動が阻止されている。つまり、カードＣが挿入されていないときには、押圧バー２２、押圧ロッド２３及び押圧プレート２６のカード挿入方向及びカード排出方向の移動は規制されているのである。
【００２７】
そして、カードＣを所定位置まで挿入すると、移動規制部材５０の傾斜舌片５６ｂにカードＣの角部が摺接して、これにより、移動規制部材５０は第１突起４７ａ及び第２突起４７ｂを略中心として外方向に揺動し、移動規制部５７による押圧ロッド２３、押圧バー２２及び押圧プレート２６の後方への移動規制が解除される。図１４に示す状態では、カードＣの側面が起立板部５６ａに摺接しており、移動規制部材５０の揺動は完了している。このように、カードＣが所定位置に挿入されたときに初めて押圧ロッド２３、押圧バー２２及び押圧プレート２６の後方への移動が可能となり、カムピン２６ｂのカム溝２７に沿って移動することを可能となるのである。そして、移動規制部材５０のブラケット４１に対する揺動により、押圧ロッド２３、押圧バー２２及び押圧プレート２６の後方への移動規制及びその解除を行っているから、カードＣを所定位置まで挿入しなければ押圧ボタン２４を筐体から突出することができない動作を確実に可能とすることができる。
【００２８】
そして、カードＣの挿入が完了すると、コネクタ部１０のコンタクトがカードＣと嵌合接触し、カードＣと回路基板とが電気的に接続されることになる。
そして、カードＣを排出するため、押圧バー２２を若干押圧すると、図１１（Ｂ）に示すように、カムピン２６ｂはガイドアーム１２に形成されたカム溝２７の後方凹部２７ａから第３直線状部２７ｆに沿って移動し、押圧プレート２６は前側が下方に後側が上方に回動する。押圧プレート２６の後側が上方に回動することにより、押圧プレート２６の係合部２６ａは回動アーム２１の係合部２１ａに係合することが回避される。
【００２９】
そして、押圧バー２２を押圧して押圧プレート２６を最後端位置まで後退させた後、押圧バー２２の押圧を中止すると、引張ばね２５の作用により、図１１（Ｃ）及び図１１（Ｄ）に示すように、押圧バー２２及び押圧プレート２６が前進する（押圧バー２２及び押圧プレート２６の引出動作）。このとき、カムピン２６ｂはカム溝２７の略直線状部２７ｅに沿って前進する。
【００３０】
そして、押圧バー２２及び押圧プレート２６は、最前端位置に位置することになる。このとき、カムピン２６ｂは図１１（Ｅ）に示すようにカム溝２７の前側凹部２７ｄに位置することになる。これにより、押圧ボタン２４が筐体（図示せず）から突出し、次工程でのカードＣの排出が可能となる。カムピン２６ｂがカム溝２７の前側凹部２７ｄに位置すると、押圧プレート２６はカード挿抜方向と平行になる。
【００３１】
次いで、押圧バー２２を押圧すると、図７に示すように、押圧プレート２６が後退するとともにカムピン２６ｂがカム溝２７の第２直線状部２７ｃに沿って後方に移動し、押圧プレート２６は後側が下方に前側が上方にやや回動する。そして、押圧バー２２の押圧を続行すると、押圧プレート２６の係合部２６ａが回動アーム２１の係合部２１ａに係合する（押圧バー２２及び押圧プレート２６の押圧動作）。
【００３２】
そして、押圧バー２２を更に押圧すると、図１２（Ａ）に示すように、押圧プレート２６が後退して回動アーム２１の係合部２１ａが後方に向けて回動し、挿入されたカードＣがやや前方に排出される。このとき、カムピン２６ｂがカム溝２７の第２直線状部２７ｃに沿って後方に移動する。
そして、押圧バー２２を更に押圧すると、図１２（Ｂ）に示すように、押圧プレート２６が最後端位置にまで後退し、回動アーム２１が更に回動してカードＣが完全に排出される。このとき、カムピン２６ｂがカム溝２７の第２直線状部２７ｃに沿って後方に移動し、最後端位置に位置する。
【００３３】
そして、押圧バー２２の押圧を中止すると、引張ばね２５の作用により、押圧バー２２及び押圧プレート２６はやや前方に移動し、図１１（Ａ）及び図１３に示す元の状態に戻る。このとき、カムピン２６ｂはカム溝２７の第１直線状部２７ｂに沿って前方に移動して後側凹部２７ａに位置することになる。そして、移動規制部材５０は第１突起４７ａ及び第２突起４７ｂを略中心として内方向に揺動し、元の位置に戻り、押圧ロッド２３、押圧バー２２及び押圧プレート２６の後方への移動が規制される。
【００３４】
本発明の実施形態によれば、カード排出手段２０が、コネクタ部１０に回動可能に配置され、回動によりカードＣを抜出方向に排出する回動アーム２１と、押圧ボタン２４を有しガイドアーム１２の側面に沿ってカードの挿抜方向に移動可能な押圧バー２２と、押圧バー２２に回動可能に軸支され、カードＣの排出時に回動アーム２１を押圧して回動させる押圧プレート２６とを具備しているので、押圧ボタン２４を有する押圧バー２２の押圧操作により、押圧プレート２６が押圧されて回動アーム２１を回動させ、カードＣを排出することができる。
【００３５】
そして、ガイドアーム１２の側面に形成されたハート形のカム溝２７と、押圧プレート２６に設けられ、カム溝２７と係合するカムピン２６ｂとからなるカム機構を設けたので、このカム機構により、いわゆるプッシュープッシュ作用を可能にしたイジェクト機能を有するコンパクトなカードコネクタ１を提供できる。
そして、カードＣが所定位置に挿入されたときに、カムピン２６ｂがカム溝２７に沿って移動することを可能にする押圧バーの移動規制手段４０を設け、この移動規制手段４０が、ガイドアーム１２に取り付けられたブラケット４１と、ブラケット４１に対して揺動可能に取り付けられ、カードＣの非挿入時に押圧バー２２の移動を規制するとともに、カードＣが所定位置に挿入されたときに揺動して押圧バー２２の移動規制を解除する移動規制部材５０とを備えているので、カードＣを所定位置まで挿入しなければ押圧ボタン２４を筐体から突出することができない動作を確実に可能とすることができる。
【００３６】
以上、本発明の実施形態について説明してきたが、本発明はこれに限定されずに種々の変更、改良を行うことができる。
例えば、移動規制部材５０は、カードＣの非挿入時に押圧バー２２の後方（カード挿入方向）への移動を規制するようになっているが、これに限らず、カードＣの非挿入時に押圧バー２２の前方（カード排出方向）及び後方（カード挿入方向）の双方向への移動を規制するようにしてもよい。この場合、移動規制部材５０を、カードＣが所定位置に挿入されたときに揺動して押圧バー２２の前方及び後方の双方向への移動規制を解除するようにする。
【００３７】
また、いわゆるプッシュプッシュ作用をするものであれば、押圧プレート２６やカム溝２７とカムピン２６ｂとからなるカム機構を必ずしも設けなくてもよい。この場合、移動規制部材５０を、カードＣの非挿入時に押圧バー２２の前方（カード排出方向）及び後方（カード挿入方向）の双方向への移動を規制するようにし、また、カードＣが所定位置に挿入されたときに揺動して押圧バー２２の前方及び後方の双方向への移動規制を解除するようにする。
【図面の簡単な説明】
【００３８】
【図１】本発明に係るカードコネクタを正面右斜め上方より見た斜視図である。図１において、挿入前のカードをともに示してある。
【図２】図１のカードコネクタを正面左斜め上方より見た斜視図である。図２において、挿入前のカードをともに示してある。
【図３】図１のカードコネクタを示し、（Ａ）は平面図、（Ｂ）は正面図、（Ｃ）は背面図、（Ｄ）は底面図である。
【図４】図１のカードコネクタを示し、（Ａ）は右側面図、（Ｂ）は左側面図である。
【図５】図１に示すカードコネクタからガイドアームを取り除いた状態の斜視図である。
【図６】カード排出手段を構成する押圧バー、押圧ロッド、押圧ボタン及び押圧バーの移動規制手段を前方斜め上方から見た斜視図である。
【図７】カード排出手段を構成する押圧ロッド、押圧ボタン及び押圧バーの移動規制手段を後方斜め上方から見た斜視図である。
【図８】押圧バーの移動規制手段を前方斜め上方から見た斜視図である。
【図９】押圧バーの移動規制手段の分解斜視図である。
【図１０】押圧バーの移動規制手段４０を後方斜め上方から見た斜視図である。
【図１１】カム機構の動作の説明図である。
【図１２】カム機構の動作の説明図である。
【図１３】カードを挿入していない時のカードコネクタの平面図である。
【図１４】カードを所定位置まで挿入した時のカードコネクタの平面図である。
【図１５】従来例のプッシュープッシュ作用を可能にしたイジェクト機能を有するカードコネクタの斜視図である。
【図１６】従来の他の例のプッシュープッシュ作用を可能にしたイジェクト機能を有するカードコネクタの斜視図である。
【図１７】図１６に示したカードコネクタのイジェクト機構の主要部を示し、（Ａ）は平面図、（Ｂ）は側面図である。
【符号の説明】
【００３９】
１  カードコネクタ
１０  コネクタ部
１２  ガイドアーム
２０  カード排出手段
２１  回動アーム
２２  押圧バー
２４  押圧ボタン
２６  押圧プレート
２６ｂ  カムピン（カム機構）
２７  カム溝（カム機構）
４０  移動規制手段
４１  ブラケット
５０  移動規制部材
Ｃ  カード
【図１】
2006210017.tif 000003
【図２】
2006210017.tif 000004
【図３】
2006210017.tif 000005
【図４】
2006210017.tif 000006
【図５】
2006210017.tif 000007
【図６】
2006210017.tif 000008
【図７】
2006210017.tif 000009
【図８】
2006210017.tif 000010
【図９】
2006210017.tif 000011
【図１０】
2006210017.tif 000012
【図１１】
2006210017.tif 000013
【図１２】
2006210017.tif 000014
【図１３】
2006210017.tif 000015
【図１４】
2006210017.tif 000016
【図１５】
2006210017.tif 000017
【図１６】
2006210017.tif 000018
【図１７】
2006210017.tif 000019